(57)【要約】【課題】壁下地材が介在してもささら桁の上端を躯体に対して強固に固定すると共に、大工作業の二度手間を無くした階段施工を可能にする。【解決手段】階段のささら桁２３の上端を壁下地材２６ごしに躯体２５に固定するための固定金具１０であり、壁面固定板１１とその一面から立設される一対のささら桁側面固定板１２ａ，１２ｂとを有してなる断面略コ字形の本体１３と、壁面固定板の他面から突設される中空筒状突起１４と、ささら桁側面固定板に形成されるビス孔１６ａ，１６ｂとを有する。壁下地材の厚さを貫通して形成した突起収容穴２８に中空筒状突起を嵌入し、壁面固定板を壁面に接触させた状態にしてビス２７を中空筒状突起に通して躯体に打ち込むことにより固定金具を壁に固定し、ささら桁の上端をささら桁側面固定板間に挟み込んだ状態でビス２９をビス孔に通してささら桁側面に打ち込んでささら桁を固定金具に固定する。【選択図】図６
2014066077.tif 000002
【特許請求の範囲】
【請求項１】
階段のささら桁の上端を壁下地材ごしに構造躯体に固定するための固定金具であって、壁面固定板と該壁面固定板の一面から立設される一対のささら桁側面固定板とを有してなる断面略コ字形の本体と、壁面固定板の他面から突設される中空筒状突起と、ささら桁側面固定板に形成されるささら桁側面固定用ビス孔とを有することを特徴とする固定金具。
【請求項２】
前記中空筒状突起は、壁下地材の厚さと略同一または若干短い突出長を有することを特徴とする、請求項１記載の固定金具。
【請求項３】
前記ささら桁側面固定板の上縁または前縁に前端側から壁面固定板側に向けて下方に傾斜するガイド縁を有し、該ガイド縁にささら桁側面から外方に突出するピンを載置可能であることを特徴とする、請求項１または２記載の固定金具。
【請求項４】
前記ガイド縁の終端に前記ピンを収容可能な凹部が設けられることを特徴とする、請求項３記載の固定金具。
【請求項５】
請求項１ないし４のいずれか記載の固定金具を用いた階段の取付構造であって、壁下地材の厚さを貫通して形成した突起収容穴に中空筒状突起を嵌入し、壁面固定板を壁面に接触させた状態にして壁面固定用ビスを中空筒状突起に通して躯体に打ち込むことにより固定金具が壁に固定され、ささら桁の上端を一対のささら桁側面固定板の間に挟み込んだ状態でささら桁側面固定用ビスをささら桁側面固定用ビス孔に通してささら桁の側面に打ち込むことによりささら桁が固定金具に固定されてなることを特徴とする階段の取付構造。
【請求項６】
請求項１ないし４のいずれか記載の固定金具を用いて行う階段の施工方法であって、壁面の下地材の厚さを貫通して形成した突起収容穴に中空筒状突起を嵌入し、壁面固定板を壁面に接触させた状態にして壁面固定用ビスを中空筒状突起に通して躯体に打ち込むことにより固定金具を壁に固定し、ささら桁の上端を一対のささら桁側面固定板の間に挟み込んだ状態でささら桁側面固定用ビスをささら桁側面固定用ビス孔に通してささら桁の側面に打ち込むことによりささら桁を固定金具に固定することを特徴とする階段の施工方法。
【発明の詳細な説明】
【技術分野】
【０００１】
本発明は、ささら桁の上端を壁面に固定するための固定金具、該固定金具を用いた階段の取付構造および施工方法に関する。
【背景技術】
【０００２】
住宅等の建築物に施工される階段の一種として、蹴込板を省略し、床と壁の間に斜行状に設けられる左右一対のささら桁と、これらささら桁の上方に架設される複数の踏板とからなるもの（オープン型階段などと呼ばれるもの）がある。このような階段はシンプルでモダンな印象を与え、吹抜空間を有する開放的なリビングルームなどにマッチするデザイン性・インテリア性を有するものとして需要が高まっている。この種の階段の従来技術の一例が特許文献１に示されており、ささら桁の下端を床に固定する金具および上端を壁に固定する金具として、いずれも、平板状のベース板と、このベース板から垂直に立ち上げられた左右各一対の保持板とを有してなるものを用い、ベース板を床面または壁面にビスなどで取り付けると共に、一対の保持板の間にささら桁の下端または上端を挟み込んだ状態でビスなどで取り付けることにより、ささら桁を固定している。
【先行技術文献】
【特許文献】
【０００３】
【特許文献１】特開２００６−２４９７５２号公報
【発明の概要】
【発明が解決しようとする課題】
【０００４】
ささら桁の下端が固定される床については、一般に合板などの木質材が下地材として使用されているので、特許文献１で使用されている金具や他の金具（Ｌ金具など）を用いてビスなどで強固な固定を行うことができる。ところが、ささら桁の上端が固定される壁については、一般に柱や梁などの構造躯体上に石膏ボードなどの下地材を施工した上にクロス張り仕上げを行うので、金具を固定するビスが石膏ボードに打ち込まれることになり、強固に固定することができない。このため、ささら桁の上端を壁面に密着させて安定した状態で施工することができず、壁面との間に隙間が開いて見栄えが悪くなったり、階段がぐらつくなどの不具合が生ずることがあった。
【０００５】
また、特許文献１に示されるような階段を施工する際、従来は、大工が壁構造躯体にささら桁を固定し、最上段の踏板以外の踏板を取り付けた後に、躯体に石膏ボードを貼り付け、次に、内装業者が石膏ボードの表面にクロスを貼り、その後再度大工が最上段の踏板を取り付けるという作業順で施工していた。これは、最上段の踏板まで取り付けてしまうと、最上段の踏板側面と石膏ボード表面との間には５ｍｍ程度の隙間しか空いていないため、最上段の踏板が邪魔になってクロス貼りを行うことができなくなるためであった。このため、クロス貼りの後に大工が再び現場に来て最上段の踏板を取り付ける作業を行う必要があり、二度手間となっていた。
【０００６】
したがって、本発明が解決しようとする課題は、ささら桁の上端を壁に固定するに際し、石膏ボードなどの壁下地材が介在しても躯体に対して強固に固定することができる固定金具を提供し、併せて該固定金具を用いて容易に施工することができる階段の施工構造および施工方法を提供することである。
【課題を解決するための手段】
【０００７】
この課題を解決するため、請求項１に係る本発明は、階段のささら桁の上端を壁下地材ごしに壁構造躯体に固定するための固定金具であって、壁面固定板と該壁面固定板の一面から立設される一対のささら桁側面固定板とを有してなる断面略コ字形の本体と、壁面固定板の他面から突設される中空筒状突起と、ささら桁側面固定板に形成されるささら桁側面固定用ビス孔とを有することを特徴とする。
【０００８】
請求項２に係る本発明は、請求項１記載の固定金具において、前記中空筒状突起は、壁下地材の厚さと略同一または若干短い突出長を有することを特徴とする。
【０００９】
請求項３に係る本発明は、請求項１または２記載の固定金具において、前記ささら桁側面固定板の上縁または前縁に前端側から壁面固定板側に向けて下方に傾斜するガイド縁を有し、該ガイド縁にささら桁側面から外方に突出するピンを載置可能であることを特徴とする。
【００１０】
請求項４に係る本発明は、請求項３記載の固定金具において、前記ガイド縁の終端に前記ピンを収容可能な凹部が設けられることを特徴とする。
【００１１】
請求項５に係る本発明は、請求項１ないし４のいずれか記載の固定金具を用いた階段の取付構造であって、壁下地材の厚さを貫通して形成した突起収容穴に中空筒状突起を嵌入し、壁面固定板を壁面に接触させた状態にして壁面固定用ビスを中空筒状突起に通して躯体に打ち込むことにより固定金具が壁に固定され、ささら桁の上端を一対のささら桁側面固定板の間に挟み込んだ状態でささら桁側面固定用ビスをささら桁側面固定用ビス孔に通してささら桁の側面に打ち込むことによりささら桁が固定金具に固定されてなることを特徴とする。
【００１２】
請求項６に係る本発明は、請求項１ないし４のいずれか記載の固定金具を用いて行う階段の施工方法であって、壁面の下地材の厚さを貫通して形成した突起収容穴に中空筒状突起を嵌入し、壁面固定板を壁面に接触させた状態にして壁面固定用ビスを中空筒状突起に通して躯体に打ち込むことにより固定金具を壁に固定し、ささら桁の上端を一対のささら桁側面固定板の間に挟み込んだ状態でささら桁側面固定用ビスをささら桁側面固定用ビス孔に通してささら桁の側面に打ち込むことによりささら桁を固定金具に固定することを特徴とする。
【発明の効果】
【００１３】
請求項１に係る本発明によれば、壁面の下地材の厚さを貫通して形成した突起収容穴に中空筒状突起を嵌入し、壁面固定板を壁面に接触させた状態にして壁面固定用ビスを中空筒状突起に通して躯体に打ち込むことにより固定金具が壁に固定され、ささら桁を一対のささら桁側面固定板の間に挟み込んだ状態でささら桁側面固定用ビスをささら桁側面固定用ビス孔に通してささら桁の側面に打ち込むことによりささら桁が固定金具に固定される。したがって、固定金具を壁に固定するに際して、従来技術のようにビスが石膏ボードなどの壁下地材に打ち込まれることがなく、壁下地材より強度が大きい中空筒状突起を介して固体に打ち込まれるので、該固定金具を介してささら桁の上端を強固に壁に固定することができる。
【００１４】
請求項２に係る本発明によれば、中空筒状突起の突出長が壁下地材の厚さと略同一または若干短い寸法に設定されるので、壁面固定用ビスを中空筒状突起に通して躯体に打ち込んだときに壁面固定板が壁面に略密接した状態となるので、固定金具の壁に対する固定強度をさらに高め、この固定金具を介してささら桁の上端をより確実かつ安定的に壁に固定することができる。
【００１５】
請求項３に係る本発明によれば、壁に固定した固定金具にささら桁を施工する際に、ささら桁側面から外方に突出するピンをピン載置部のガイド縁に載置し、ガイド縁に沿って移動させることによりささら桁の上端を壁面側に引き寄せることができ、施工が容易となる。
【００１６】
請求項４に係る本発明によれば、ガイド溝に沿って移動したピンを凹部に収容させることで壁に対してささら桁上端の位置決めを容易に行うことができる効果がある。
【００１７】
請求項５に係る本発明によれば、固定金具を壁に固定するに際して、従来技術のようにビスが石膏ボードなどの壁下地材に打ち込まれることがなく、壁下地材より強度が大きい中空筒状突起を介して固体に打ち込まれるので、該固定金具を介してささら桁の上端を強固に壁に固定することができる。したがって、ささら桁階段の取付構造において固定強度を増大することができ、階段のぐらつきなどの不具合を防止することができる。また、クロス貼りを完了した後に大工による階段施工作業を行うことができるので、大工作業の二度手間が解消される。
【００１８】
請求項６に係る本発明によれば、固定金具を壁に固定するに際して、従来技術のようにビスが石膏ボードなどの壁下地材に打ち込まれることがなく、壁下地材より強度が大きい中空筒状突起を介して躯体に打ち込まれるので、該固定金具を介してささら桁の上端を強固に壁に固定することができる。したがって、固定強度の大きな階段の取付構造を簡単な施工で得ることができる。また、クロス貼りを完了した後に大工による階段施工作業を行うことができるので、大工作業の二度手間が解消される。
【図面の簡単な説明】
【００１９】
【図１】本発明の一実施形態（実施例１）による固定金具の正面図（ａ）、平面図（ｂ）、底面図（ｃ）、左側面図（ｄ）、右側面図（ｅ）および背面図（ｆ）である。
【図２】この固定金具を用いてささら桁の上端を壁に固定した階段の取付構造の側面図である。
【図３】同取付構造において一つのささら桁に関連する構造を示す平面図である。
【図４】同取付構造の斜視図である。
【図５】同取付構造の要部拡大側面図である。
【図６】同取付構造の要部拡大平面図である。
【図７】同取付構造の要部拡大正面図である。
【図８】同取付構造においてささら桁の下端を床に固定するために用いる固定金具の正面図（ａ）、平面図（ｂ）、底面図（ｃ）、左側面図（ｄ）、右側面図（ｅ）および背面図（ｆ）である。
【図９】本発明の他実施形態（実施例２）による固定金具の正面図（ａ）、平面図（ｂ）、底面図（ｃ）、左側面図（ｄ）、右側面図（ｅ）および背面図（ｆ）である。
【図１０】この固定金具を用いてささら桁の上端を壁に固定した階段の取付構造の側面図である。
【図１１】同取付構造おいて一つのささら桁に関連する構造を示す平面図である。
【図１２】同取付構造の要部拡大側面図である。
【図１３】同取付構造の要部拡大平面図である。
【図１４】同取付構造の要部拡大正面図である。
【図１５】本発明のさらに他実施形態（実施例３）による固定金具の正面図（ａ）、平面図（ｂ）、底面図（ｃ）、左側面図（ｄ）、右側面図（ｅ）および背面図（ｆ）である。
【図１６】この固定金具を用いてささら桁の上端を壁に固定した階段の取付構造の側面図である。
【図１７】同取付構造おいて一つのささら桁に関連する構造を示す平面図である。
【図１８】同取付構造の要部拡大側面図である。
【図１９】同取付構造の要部拡大平面図である。
【図２０】同取付構造の要部拡大正面図である。
【図２１】本発明のさらに他実施形態（実施例４）による固定金具の正面図（ａ）および右側面図（ｂ）である。
【図２２】この固定金具の平面図（ａ）および底面図（ｂ）である。
【図２３】この固定金具を用いてささら桁の上端を壁に固定した階段の取付構造の側面図である。
【図２４】同取付構造おいて一つのささら桁に関連する構造を示す平面図である。
【図２５】同取付構造の要部拡大側面図である。
【図２６】同取付構造の要部拡大平面図である。
【図２７】同取付構造の要部拡大正面図である。
【発明を実施するための形態】
【００２０】
以下、添付図面を参照して本発明の実施例について詳述する。
【実施例１】
【００２１】
まず、実施例１においてささら桁の上端を壁に固定するために用いる金具について、図１を参照して説明する。この上端固定金具１０は、壁面固定板１１と、壁面固定板１１の一面から立設される一対のささら桁側面固定板１２ａ，１２ｂ（特に区別する必要のないときは包括的に符号１２で示すことがある）とを有してなる断面略コ字形の本体１３を有する。壁面固定板１１の他面側には上下２箇所に中空筒状突起１４，１４が設けられる。中空筒状突起１４は壁下地材の厚さと略同一または若干小さい突出長を有しており、後述するように、この上端固定金具１０を壁面に固定するための壁面固定用ビス（皿ネジ）が壁面固定板１１側から打ち込まれるので、そのビス頭を壁面固定板１１の厚さ範囲に納めて壁面固定板面から突出させないように、皿加工１５が施されている。また、各ささら桁側面固定板１２には、壁２２に固定された上端固定金具１０に対してささら桁を固定するささら桁側面固定用ビス２９（後述）を打ち込むためのささら桁側面固定用ビス孔１６ａ，１６ｂ（特に区別する必要のないときは包括的に符号１６で示すことがある）が上下２箇所に設けられている。図１（ｄ）および（ｅ）から分かるように、左右のささら桁側面固定板１２ａ，１２ｂを貫通するささら桁側面固定用ビス孔１６ａ，１６ｂは、上下方向に位置をずらして形成されている。ささら桁側面固定板１２ａ，１２ｂ間の間隔は、ささら桁の厚さと略同一である。
【００２２】
上端固定金具１０の材質は、強度などの物性の面からステンレス、アルミ、亜鉛メッキ鋼板、塗装鋼板、塗装メッキ鋼板、真鍮メッキ鋼板、鋳物などの金属製であることが好ましいが、これらに限定されるものではない。また、上端固定金具１０の寸法は、これによって固定されるささら桁２３の厚さや壁下地材として用いられる石膏ボード２６の厚さなどに応じて決定されるが、一例として、一対のささら桁側面固定板１２ａ，１２ｂ間の間隔がささら桁２３の厚さと同一である６０ｍｍ、壁面固定板１１およびささら桁側面固定板１２ａ，１２ｂの板厚が４．５ｍｍ、中空筒状突起１４，１４の突出長が１２ｍｍ（石膏ボード２６の厚さが１２．５ｍｍの場合）外径が２０ｍｍ、内径が１３ｍｍ、上下方向の中心間隔が６０ｍｍ、ささら桁側面固定用ビス孔１６ａ，１６ａ；１６ｂ，１６ｂはいずれも直径が７ｍｍ、上下方向の中心間隔が５０ｍｍであって、ささら桁側面固定板１２ａのささら桁側面固定用ビス孔１６ａ，１６ａは上縁から３０ｍｍおよび下縁から１０ｍｍの位置にそれぞれ中心を有し、ささら桁側面固定板１２ｂのささら桁側面固定用ビス孔１６ｂ，１６ｂは壁面固定板１１の上縁から１５ｍｍおよび下縁から２５ｍｍの位置にそれぞれ中心を有するように上下方向にずらして形成されている。
【００２３】
この上端固定金具１０を用いてささら桁の上端を壁に固定した階段構造が図２ないし図７に示されている。この階段構造２０は、床２１と壁２２との間に斜行状に設けられる左右一対のささら桁２３ａ，２３ｂ（特に区別する必要のないときは包括的に符号２３で示すことがある）と、これらささら桁２３，２３の上方に架設される複数の踏板２４とからなり、ささら桁２３，２３の上端が上端固定金具１０を介して壁２２に固定され、下端が下端固定金具３０を介して床２１に固定される。
【００２４】
この階段構造２０において、壁２２は、柱や梁などの構造躯体２５に壁下地材としての石膏ボード２６が施工され、その上にクロス張り仕上げ（図示省略）を施して構成されている。したがって、躯体２５の壁面側には軟質の石膏ボード２６が存在しているが、上端固定金具１０の中空筒状突起１４，１４に壁面固定用ビス２７，２７を通して躯体２５に打ち込むことができる。図５ないし図７を参照してより詳細に説明すれば、中空筒状突起１４，１４が嵌入される箇所の石膏ボード２６には、該突起の外径に対応する寸法の突起収容穴２８，２８が貫通形成されており、この突起収容穴２８，２８に中空筒状突起１４，１４を嵌入させる。中空筒状突起１４，１４の突出長さは石膏ボード２６の厚さと略同一または若干小さく（たとえば０．５ｍｍ程度）形成されているので、中空筒状突起１４，１４を石膏ボード２６の突起収容穴２８，２８に嵌入させることによって、中空筒状突起１４，１４の先端が躯体２５に略密接すると共に、上端固定金具１０の壁面固定板１１が壁面に略密接する（図５，図６）。この状態で、中空筒状突起１４，１４に壁面固定用ビス２７，２７を通して躯体２５に打ち込むことにより、上端固定金具１０が躯体２５に対して強固に固定される。上端固定金具１０の壁面固定板１１と躯体２５の間に石膏ボード２６が介在しているが、中空筒状突起１４，１４が石膏ボード２６の突起収容穴２８，２８を挿通し、その先端が躯体２５に当接した状態で上端固定金具１０が取り付けられるので、躯体２５に対して大きな固定強度を発揮することができる。上端固定金具１０はささら桁２３ごとに壁２２に固定され、したがって、ささら桁２３，２３の間隔に応じた左右２箇所において同一の高さ位置で２個の上端固定金具１０が壁２２に固定される。
【００２５】
このようにして躯体２５に対して強固に固定された各上端固定金具１０に対して、ささら桁２３の上端が固定される。この固定は、ささら桁２３を上端固定金具１０のささら桁側面固定板１２ａ，１２ｂ間に挿入し、その上端を壁面固定板１１に略当接するまで押し込んだ状態で、ささら桁側面固定板１２ａ，１２ｂの両側からささら桁側面固定用ビス孔１６ａ，１６ｂにささら桁側面固定用ビス２９ａ，２９ｂ（特に区別する必要のないときは包括的に符号２９で示すことがある）を打ち込んで、ささら桁２３の上端を上端固定金具１０に固定する。既述したように、ささら桁側面固定板１２ａ，１２ｂのビス孔１６ａ，１６ｂは上下方向に異なる位置に形成されているので、両側からささら桁側面固定用ビス２９ａ，２９ｂを打ち込んでも干渉しない（図７）。
【００２６】
ささら桁２３，２３の下端を床２１に固定する下端固定金具３０は本発明に直接的に関連するものではなく、何ら限定されないが、一例として図８に示すような下端固定金具３０を用いることができる。この下端固定金具３０は、床面固定板３１と、その一端から一方向に直角に折曲されたささら桁側面固定板３２とから略Ｌ字形に形成され、床面固定板３１には、上下２箇所に床面固定用ビス孔３３，３３が貫通形成されると共に、これらビス孔３３，３３間の中央には上下方向に長い長孔３４が貫通形成され、また、ささら桁側面固定板３２には、上下２箇所にささら桁側面固定用ビス孔３５，３５が貫通形成されている。図７および図８から分かるように、左右のささら桁側面固定板３２を貫通するささら桁側面固定用ビス孔３５，３５は、上下方向の中心から偏移させた位置に形成されている。このような下端固定金具３０を一対で用い、ささら桁２３の下端を両側から挟み込んだ状態にして、床２１に対しては床面固定板３１の床面ビス用孔３３，３３に通したビス（図示せず）で固定すると共に、ささら桁２３に対してはささら桁側面固定板３２のささら桁側面固定用ビス孔３５，３５に通したビス（図示せず）で固定する。下端固定金具３０の材質は、強度などの物性の面からステンレス、アルミ、亜鉛メッキ鋼板、塗装鋼板、真鍮メッキ鋼板、鋳物などの金属製であることが好ましいが、これらに限定されるものではない。
【００２７】
次に、この階段構造２０を得る施工方法について説明する。この施工方法としては２通りの施工方法が考えられる。第一の施工方法は次の順序で行うことができる。
（１）躯体２５に石膏ボード２６およびクロス（図示省略）を張って壁２２を構築すると共に、床材（図示省略）を張って床２１を構築する。
（２）ささら桁２３の上端を固定する上端固定金具１０の壁面固定位置（突起収容穴２８，２８を形成する位置）を設計図を元に位置出しする。
（３）上記により決定した位置において石膏ボード２６に突起収容穴２８，２８を形成する。
（４）上端固定金具１０の中空筒状突起１４，１４を突起収容穴２８，２８に嵌入させ、中空筒状突起１４，１４に壁面固定用ビス２７，２７を通して躯体２５に打ち込んで、上端固定金具１０を躯体２５に固定する。
（５）壁２２に固定した上端固定金具１０のささら桁側面固定板１２ａ，１２ｂ間にささら桁２３の上端を挿入し、床２１および壁２２にあてがった状態にして、ささら桁２３の下端の床面固定位置に下端固定金具３０を仮固定し、ささら桁２３の下端側面のささら桁側面固定用ビス孔３５，３５にビス４２，４２（図２）を通して両側から打ち込むことにより、下端固定金具３０をささら桁２３の下端側面に固定する。図８の下端固定金具３０を対向させて一対用いる場合、ささら桁側面固定用ビス孔３５，３５の位置が上下方向に偏移していることから、ささら桁２３の両側からビス４２，４２を打ち込んでも干渉しない。なお、下端固定金具３０の仮固定は、下端固定金具３０の床面固定板３１の長孔３４にビス（図示省略）を通して床２１に打ち込むことによって行う。
（６）長孔３４のビスを緩め、ささら桁２３の上下および前後の位置を調整した後、長孔３４のビスを締めて固定位置を決定する。
（７）上記にて決定した位置で、一対の下端固定金具３０，３０を所定間隔で対向させて床２１に固定する。下端固定金具３０は、床面固定用ビス孔３３，３３にビス４３，４３（図３）を通して床２１に打ち込んで、床２１に固定する。この固定後、長孔３４に通したビスは外しても良いし、必要に応じて締め付けた状態のまま残しても良い。
（８）壁２２に固定した上端固定金具１０のささら桁側面固定板１２ａ，１２ｂ間にささら桁２３の上端を挿入し、ささら桁側面固定用ビス孔１６ａ，１６ｂにささら桁側面固定用ビス２９ａ，２９ｂを通してささら桁２３の上端側面に両側から打ち込むことにより、ささら桁２３の上端を上端固定金具１０に固定する。既述の通り、ささら桁側面固定板１２ａ，１ｂのビス孔１６ａ，１６ｂは上下方向に異なる位置に形成されているので、両側からささら桁側面固定用ビス２９ａ，２９ｂを打ち込んでも干渉しない（図７）。
（９）以上のようにして固定したささら桁２３の所定箇所に踏板固定金具４１（図４）を介して踏板２４を固定して、階段構造２０の施工が完了する。
【００２８】
あるいは、第二の施工方法として次の順序で行うことができる。
（１）躯体２５に石膏ボード２６およびクロス（図示省略）を張って壁２２を構築すると共に、床材（図示省略）を張って床２１を構築する。
（２）ささら桁２３を施工する左右方向の位置を、左または右の壁から位置出しし、位置出しされた左右方向位置においてささら桁２３を床２１および壁２２にあてがった状態にして、上端固定金具１０の壁面固定位置（突起収容穴２８，２８を形成する位置）および下端固定金具３０の床面固定位置を位置出しする。
（３）上記により決定した上端固定金具１０の壁面固定位置において石膏ボード２６に突起収容穴２８，２８を形成する。
（４）上端固定金具１０の中空筒状突起１４，１４を突起収容穴２８，２８に嵌入させ、中空筒状突起１４，１４に壁面固定用ビス２７，２７を通して躯体２５に打ち込んで、上端固定金具１０を躯体２５に固定する。また、前記により決定した位置で一対の下端固定金具３０，３０を所定間隔で対向させて床２２に固定する。固定金具１０，３０の固定は第一の施工方法において説明したと同様にして行う。
（５）壁２２に固定した上端固定金具１０のささら桁側面固定板１２ａ，１２ｂ間にささら桁２３の上端を挿入すると共に、床２１に固定した一対の下端固定金具３０のささら桁側面固定板３２，３２間にささら桁２３の下端を挿入する。
（６）第一の施工方法において説明したと同様にして、ささら桁２３の下端を一対の下端固定金具３０，３０間に固定する。
（７）第一の施工方法において説明したと同様にして、ささら桁２３の上端を上端固定金具１０に固定する。
（８）以上のようにして固定したささら桁２３の所定箇所に踏板固定金具４１（図４）を介して踏板２４を固定して、階段構造２０の施工が完了する。
【実施例２】
【００２９】
次に、実施例２においてささら桁２３の上端を壁に固定するために用いる上端固定金具について、図９を参照して説明する。この上端固定金具１０は、実施例１の上端固定金具１０と同様に、壁面固定板１１と、壁面固定板１１の一面から立設される一対のささら桁側面固定板１２ａ，１２ｂとを有してなる断面略コ字形の本体１３を有し、壁面固定板１１の他面側には上下２箇所に中空筒状突起１４，１４が設けられ、各ささら桁側面固定板１２ａ，１２ｂにはささら桁側面固定用ビスを打ち込むためのささら桁側面固定用ビス孔１６ａ，１６ｂが設けられている。
【００３０】
実施例２の上端固定金具１０が実施例１の上端固定金具１０と異なる点は、ささら桁側面固定板１２ａ，１２ｂの上縁１７が、その前端側から壁面固定板１１側に向けて下方に傾斜するガイド縁１７ａと、その下端から略半円弧状に凹設されたピン収容溝１７ｂと、壁面固定板１１とピン収容溝１７ｂとの間に略水平に延出する水平縁１７ｃとからなるものとして形成されている点である。また、このような上縁１７構成を採用するために、ささら桁側面固定板１２ａ，１２ｂは実施例１の上端固定金具１０のささら桁側面固定板１２ａ，１２ｂより前後方向に幅広に形成されており、それに伴ってささら桁側面固定用ビス孔１６ａ，１６ｂが前後上下に各２個、計４個形成されている。他の構成は実施例１の上端固定金具１０と同様であるので、同一の符号を付して詳細説明を割愛する。
【００３１】
この上端固定金具１０を用いてささら桁の上端を壁に固定した階段構造が図１０ないし図１４に示されている。この階段構造２０は、実施例１の階段構造２０と同様に、床２１と壁２２との間に斜行状に設けられる左右一対のささら桁２３（２３ａ，２３ｂ）と、これらささら桁２３，２３の上方に架設される複数の踏板２４とからなり、ささら桁２３，２３の上端が上端固定金具１０を介して壁２２に固定され、下端が下端固定金具３０を介して床２１に固定される。
【００３２】
実施例２の階段構造２０が実施例１の階段構造２０と異なる点は、ささら桁２３の上端側面から両側に突出するように設けられるピン３６を、上端固定金具１０のささら桁側面固定板１２ａ，１２ｂの上縁１７に設けたガイド縁１７ａに沿って移動させ、ピン収容溝１７ｂに収容させることにより、ささら桁２３の上端を壁２２に略密接させると共に該位置に保持するようにした点である。すなわち、実施例２の階段構造２０では、ささら桁２３の上端側面から両側外方に突出するピン３６が上端固定金具１０のささら桁側面固定板１２ａ，１２ｂのピン収容溝１７ｂ，１７ｂに収容係止されている。なお、ピン３６として、ささら桁２３の厚さより長い寸法を有する一本の丸棒状の部材をささら桁２３の厚さを貫通させて両側に突出させ、これら突出端部をピン収容溝１７ｂ，１７ｂに収容させたものとして図示されているが、ピン３６の形状は任意であり、また、一本のピンをささら桁２３を貫通させることに代えて、ささら桁２３の両側面から各々外方に突出する一対の短いピンを設けても良い。短いピンを使用する場合、ささら桁２３を固定した後、突出している該短いピンを打ち込むまたはねじ込む等してピン収容溝１８ｂ内に埋没させ、ささら桁２３の両側面からの突出をなくすようにすると、施工後の階段構造２０においてピン３６が露出せず、見映えを良くすることができる。他は実施例１の階段構造２０と同様であるので、同一の符号を付して詳細説明を割愛する。
【００３３】
この階段構造２０は次のようにして施工することができる。
（１）躯体２５に石膏ボード２６およびクロス（図示省略）を張って壁２２を構築すると共に、床材（図示省略）を張って床２１を構築する。
（２）ささら桁２３の上端を固定する上端固定金具１０の壁面固定位置（突起収容穴２８，２８を形成する位置）を設計図を元に位置出しする。または、ささら桁２３を施工する左右方向の位置を、左または右の壁から位置出しし、位置出しされた左右方向位置においてささら桁２３を床２１および壁２２にあてがった状態にして、上端固定金具１０の壁面固定位置（突起収容穴２８，２８を形成する位置）および下端固定金具３０の床面固定位置を位置出しする。
（３）上記により決定した上端固定金具位置において石膏ボード２６に突起収容穴２８，２８を形成する。
（４）上端固定金具１０の中空筒状突起１４，１４を突起収容穴２８，２８に嵌入させ、中空筒状突起１４，１４に壁面固定用ビス２７，２７を通して躯体２５に打ち込んで、上端固定金具１０を躯体２５に固定する。
（５）ささら桁２３の上端側面から両側に突出するようにピン３６を取り付ける。
（６）ピン３６を上端固定金具１０の上縁１７に載せ、ガイド縁１７ａに沿って移動させることにより壁面２２側に寄せていき、ピン収容溝１７ｂに収容係止させることによって、ささら桁２３を仮置きする。
（７）この位置でささら桁２３の上端を上端固定金具１０にささら桁側面固定用ビス２９で固定する。
（８）前記により決定した位置において下端固定金具３０を床２１にビス４３，４３（図１１）で固定し、固定した下端固定金具３０にささら桁２３の下端をビス４２，４２（図１０）で固定する。図８の下端固定金具３０を対向させて一対用いる場合、ささら桁側面固定用ビス孔３５，３５の位置が上下方向に偏移していることから、ささら桁２３の両側からビス４２，４２を打ち込んでも干渉しない。
（９）以上のようにして固定したささら桁２３の所定箇所に踏板固定金具４１（図４）を介して踏板２４を固定して、階段構造２０の施工が完了する。
【実施例３】
【００３４】
本発明の実施例３について図１５ないし図２０を参照して説明する。この実施例は実施例２の変形例であり、実施例２の上端固定金具１０（図９）においてはガイド縁１７ａおよびピン収容溝１７ｂをささら桁側面固定板１２ａ，１２ｂの上縁１７に形成したことに代えて、この実施例ではささら桁側面固定板１２ａ，１２ｂの前縁１８から奥方に向かう凹部１９を凹設し、この凹部に、前縁１８から壁面固定板１１側に向けて下方に傾斜するガイド縁１９ａと、その奥端に略半円弧状に凹設されたピン収容溝１９ｂを形成した点で異なっているが、その作用は実施例２と実質的に同様である。上端固定金具１０の他の構成は実施例１，２の上端固定金具１０と同様であり、この上端固定金具１０を用いた階段構造２０およびその施工方法も実施例１，２と同様であるので、これらについての詳細説明を割愛する。
【００３５】
なお、実施例２，３においてはガイド縁１７ａ，１９ａの下端にピン収容溝１７ｂ，１９ｂを形成しているが、ピン収容溝１７ｂ，１９ｂを形成することは必ずしも必須ではなく、省略可能である。ピン収容溝１７ｂ，１９ｂを形成することにより、ささら桁２３の両側から突出するピン３６をこのピン収容溝１７ｂ，１９ｂに収容させて仮置きすることができるので、ささら桁２３上端を壁２２に対して固定する作業を容易に行うことができる効果が得られるが、ピン収容溝１７ｂ，１９ｂを省略した場合であっても、ピン３６をガイド縁１７ａ，１９ａに載せれば自動的にささら桁２３の上端を壁２２に密接させる方向に移動させて施工作業を容易化する効果が得られので、これも一つの好ましい実施形態となり得る。
【実施例４】
【００３６】
次に、実施例４においてささら桁２３の上端を壁に固定するために用いる上端固定金具について、図２１および図２２を参照して説明する。この上端固定金具１０は、実施例１の上端固定金具１０と同様に、壁面固定板１１と、壁面固定板１１の一面から立設される一対のささら桁側面固定板１２ａ，１２ｂとを有してなる断面略コ字形の本体１３を有し、壁面固定板１１の他面側には上下２箇所に中空筒状突起１４，１４が設けられ、各ささら桁側面固定板１２ａ，１２ｂにはささら桁側面固定用ビスを打ち込むためのささら桁側面固定用ビス孔１６ａ，１６ｂが設けられている。
【００３７】
実施例４の上端固定金具１０が実施例１の上端固定金具１０と異なる点は、壁面固定板１１が上方に延長された細長状に形成されると共に、ささら桁側面固定板１２ａ，１２ｂも壁面固定板１１と同長だけ上方に延長されて左右垂直片３７，３７を形成し、且つ、壁面固定板１１の上端には左右垂直片３７，３７と同じ高さの上端垂直片３８が形成されている点である。壁面固定板１１の長さは、壁面２２に接するささら桁２３の上端長さと略同一とされる。また、ささら桁側面固定板１２ａ，１２ｂにはそれぞれ３つのささら桁側面固定用ビス孔１６ａ，１６ｂが上下に等間隔で形成されると共に、細長状とされた壁面固定板１１には４つの中空筒状突起１４が上下に等間隔で形成されている。さらに、壁面固定板１１の下端から舌片３９が斜め下方に向けて延長形成され、舌片３９にはその延長方向に沿って長い長孔４０が形成されている点においても異なっている。壁面固定板１１の面に対する舌片３９の傾斜角度は４４〜４８度とすることが好ましい。他の構成は実施例１の上端固定金具１０と同様であるので、同一の符号を付して詳細説明を割愛する。
【００３８】
この上端固定金具１０を用いてささら桁の上端を壁に固定した階段構造が図２３ないし図２７に示されている。この階段構造２０は、実施例１の階段構造２０と同様に、床２１と壁２２との間に斜行状に設けられる左右一対のささら桁２３ａ，２３ｂと、これらささら桁２３，２３の上方に架設される複数の踏板２４とからなり、ささら桁２３，２３の上端が上端固定金具１０を介して壁２２に固定され、下端が下端固定金具３０を介して床２１に固定される。
【００３９】
実施例４の階段構造２０が実施例１の階段構造２０と異なる点は、壁面２２に接して取り付けられる壁面固定板１１が、ささら桁２３の上端が壁面２２に接する長さに略等しい寸法まで延長されており、その下端には舌片３９が斜め下方に延長しているので、ささら桁２３の上端が舌片３９に載った状態となる点である。また、ささら桁２３は、その上下が上端垂直片３８と舌片３９との間で位置決めされると共に、その両側が上下方向の全長に亘ってささら桁側面固定板１２ａ，１２ｂおよびその上方延長部分である左右垂直片３７，３７の間に挟み込まれて位置決めされるので、上下および左右方向において安定した状態で保持される利点がある。さらに、壁面固定板１１が、ささら桁２３の上端が壁面２２に接する領域に亘って上方に延長されているので、ささら桁２３の上端と壁面２２との間に隙間が生ずることを防止し、しかも、隙間が生じたとしても左右垂直片３７，３７で該隙間を隠蔽することができる利点がある。他は実施例１の階段構造２０と同様であるので、同一の符号を付して詳細説明を割愛する。
【００４０】
この階段構造２０は次のようにして施工することができる。
（１）躯体２５に石膏ボード２６およびクロス（図示省略）を張って壁２２を構築すると共に、床材（図示省略）を張って床２１を構築する。
（２）ささら桁２３の上端を固定する上端固定金具１０の壁面固定位置（突起収容穴２８，２８を形成する位置）を設計図を元に位置出しする。
（３）上記により決定した位置において石膏ボード２６に突起収容穴２８，２８を形成する。
（４）上端固定金具１０の中空筒状突起１４，１４を突起収容穴２８，２８に嵌入させ、中空筒状突起１４，１４に壁面固定用ビス２７，２７を通して躯体２５に打ち込んで、上端固定金具１０を躯体２５に固定する。
（５）壁２２に固定した上端固定金具１０のささら桁側面固定板１２ａ，１２ｂ間にささら桁２３の上端を挿入し、舌片３９に載せて仮置きした状態にして、ささら桁２３の上端をささら桁側面固定用ビス２９で上端固定金具１０に固定する。舌片３９には長孔４０が形成されているので、ささら桁２３の上端下面に取り付けた金具の突起（図示せず）を引っ掛けることで容易に仮置き状態を得ることができる。
（６）下端固定金具３０を床２１にビス４３，４３（図２４）で固定し、固定した下端固定金具３０にささら桁２３の下端をビス４２，４２（図２３）で固定する。図７の下端固定金具３０を対向させて一対用いる場合、ささら桁側面固定用ビス孔３５，３５の位置が上下方向に偏移していることから、ささら桁２３の両側からビス４２，４２を打ち込んでも干渉しない。
（７）以上のようにして固定したささら桁２３の所定箇所に踏板固定金具４１（図４）を介して踏板２４を固定して、階段構造２０の施工が完了する。
【００４１】
なお、実施例４の上端固定金具１０は、壁面固定板１１を上方に延長すると共にささら桁側面固定板１２ａ，１２ｂも壁面固定板１１と同長だけ上方に延長して左右垂直片３７，３７と上端垂直片３８を形成した点と、壁面固定板１１の下端から斜め下方に延長する舌片３９を形成した点の両方を有するものとされているが、これらのいずれか一方のみを有するものとして上端固定金具１０を実施しても良い。すなわち、実施例１（または実施例２，３）の上端固定金具１０に対して前者の特徴（左右垂直片と上端垂直片）のみを付加した構成を採用しても良いし、これに後者の特徴（舌片３９）のみを付加した構成を採用しても良い。
【００４２】
以上に実施例を挙げて本発明を詳述したが、本発明はこれら実施例に限定されるものではなく、特許請求の範囲に記載された発明の範囲内において任意に変更して実施することができる。たとえば、中空筒状突起１４の形状は図示の円筒形状に限定されるものではなく、壁面固定用ビス２７を挿通可能な中空形状を有するものであればその形状を問わない。石膏ボード２６に形成する突起収容穴２８は、中空筒状突起１４の外形状に適合するような形状に形成される。
【００４３】
また、本発明は、上端固定金具１０を壁下地材である石膏ボード２６ごしに躯体２５に固定するものであり、より詳しくは、上端固定金具１０の中空筒状突起１４を石膏ボード２６の突起収容穴２８に挿入し、その先端を躯体２５の表面に接触させた状態で、壁面固定用ビス２７を中空筒状突起１４に挿通させて躯体２５に打ち込んで固定する。したがって、壁面固定用ビス２７は、上端固定金具１０を躯体２５に対して強固に固定できる径と長さを有する必要がある。さらに、この壁面固定用ビス２７として、頭部に六角形の溝を有するものを用いると、六角レンチで締め付けて固定することができるので、より強固な固定を実現する上で好ましい実施形態である。また、ささら桁２３の上端を上端固定金具１０に固定するために用いるささら桁側面固定用ビス２９および／またはささら桁２３の下端を下端固定金具３０に固定するために用いるビスには、いわゆるコーチスクリューを使用することが好ましい。
【００４４】
また、実施例４において舌片３９に形成される長孔４０は、ささら桁２３の上端下面に取り付けた金具の突起（図示せず）を引っ掛けることができるものであれば、長孔についても突起についてもその形状や寸法を問わない。実施例では舌片３９の延長方向に長い長孔４０が形成されており、これによって突起を引っ掛けた状態で前後方向に位置調整ができる利点があるが、必ずしも長孔でなくても良い。また、ささら桁２３の上端を上端固定金具１０の一対のささら桁側面固定板１２ａ，１２ｂ間に挟みこんだ状態で固定するに際し、図示実施例ではささら桁２３の上端に切り欠き加工などを施さず、その厚みと略同一間隔で一対のささら桁側面固定板１２ａ、１２ｂを形成しているが、ささら桁２３の上端に切り欠き加工などを施して上端の厚さを小さくした場合は、その厚みに応じた間隔で一対のささら桁側面固定板１２ａ，１２ｂを形成する。
【符号の説明】
【００４５】
１０  上端固定金具（本発明の固定金具）
１１  壁面固定板
１２（１２ａ，１２ｂ）  ささら桁側面固定板
１３  本体
１４  中空筒状突起
１５  皿加工
１６（１６ａ，１６ｂ）  ささら桁側面固定用ビス孔
１７  ささら桁側面固定板の上縁
１７ａ  ガイド縁
１７ｂ  ピン収容溝
１７ｃ  水平縁
１８  ささら桁側面固定板の前縁
１９  凹部
１９ａ  ガイド縁
１９ｂ  ピン収容溝
２０  階段構造
２１  床
２２  壁
２３  ささら桁
２４  踏板
２５  壁構造躯体
２６  石膏ボード（壁下地材）
２７  壁面固定用ビス
２８  突起収容穴
２９  ささら桁側面固定用ビス
３０  下端固定金具
３１  床面固定板
３２  ささら桁側面固定板
３３  床面固定用ビス孔
３４  長孔
３５  ささら桁側面固定用ビス孔
３６  ピン
３７  左右垂直片
３８  上端垂直片
３９  舌片
４０  長孔
４１  踏板固定金具
４２  下端固定金具にささら桁下端を固定するビス
４３  下端固定金具を床に固定するビス
【図１】
2014066077.tif 000003
【図２】
2014066077.tif 000004
【図３】
2014066077.tif 000005
【図４】
2014066077.tif 000006
【図５】
2014066077.tif 000007
【図６】
2014066077.tif 000008
【図７】
2014066077.tif 000009
【図８】
2014066077.tif 000010
【図９】
2014066077.tif 000011
【図１０】
2014066077.tif 000012
【図１１】
2014066077.tif 000013
【図１２】
2014066077.tif 000014
【図１３】
2014066077.tif 000015
【図１４】
2014066077.tif 000016
【図１５】
2014066077.tif 000017
【図１６】
2014066077.tif 000018
【図１７】
2014066077.tif 000019
【図１８】
2014066077.tif 000020
【図１９】
2014066077.tif 000021
【図２０】
2014066077.tif 000022
【図２１】
2014066077.tif 000023
【図２２】
2014066077.tif 000024
【図２３】
2014066077.tif 000025
【図２４】
2014066077.tif 000026
【図２５】
2014066077.tif 000027
【図２６】
2014066077.tif 000028
【図２７】
2014066077.tif 000029